(57)【特許請求の範囲】
【請求項１】
作業者の上半身に着用する高所作業用の作業着であって、
作業着本体と、
前記作業着本体の背面中央付近に一端が固定される命綱と、
前記命綱の他端に装着されるフックと、
前記作業着本体の脇下部位に配置され、前記フックを係止させるためのリング状部材と、
前記作業着本体の背面下部に一端が固定される紐状の前後連結部と、
前記作業者の股下を通した前記前後連結部の他端を係止させる機構を備え、前記作業着本体の前面下部に配置される前後連結係止部と、を有し、
前記リング状部材に係止させた前記フックが前記作業者の脇下に形成される空間内で体の外縁より内側に保持されることを特徴とする作業着。
【請求項２】
前記命綱が２本であり、前記フックが２本の前記命綱それぞれの他端に装着され、
前記リング状部材が前記作業着本体の両脇下部位に１つずつ配置されることを特徴とする請求項１に記載の作業着。
【請求項３】
前記前後連結部が前記作業着本体の背面中央から左右振り分け位置に１つずつ備えられ、
前記前後連結係止部が前記作業着本体の前面中央から左右振り分け位置に１つずつ備えられることを特徴とする請求項１又は２に記載の作業着。
【請求項４】
前記前後連結部が伸縮性を備えることを特徴とする請求項１乃至３の何れか一に記載の作業着。
【請求項５】
前記作業着本体がベストであることを特徴とする請求項１乃至４の何れか一に記載の作業着。
【発明の詳細な説明】
【技術分野】
【０００１】
安全帯の機能を果たす高所作業用の作業着の技術に関する。
【背景技術】
【０００２】
安全帯とは、高い場所で作業を行うときに使用する命綱付ベルトのことである。
【０００３】
例えば特許文献１乃至５で示すように、安全帯に関しては、安全性の向上、装着容易性の向上、装着時の負担感の軽減等、様々な観点から多数の研究・開発がなされている。
【先行技術文献】
【特許文献】
【０００４】
【特許文献１】実開平４−９９９５４号公報
【特許文献２】特開２００６−１１６１４０号公報
【特許文献３】特開平１１−３３３０１１号公報
【特許文献４】特表２０１１−５１２９０６号公報
【特許文献５】特開２０１０−２１３９３７号公報
【発明の概要】
【発明が解決しようとする課題】
【０００５】
しかしながら、上記の従来技術においては、落下時に腰を痛める危険性がある、落下時に命綱が作業者から離れてしまい、落下防止の機能を果たせない危険性がある、命綱の先端に配置されるフックが作業の邪魔なるという複数の問題点を有する。
【０００６】
そこで本発明では、上記問題点に鑑み、高所作業時における落下防止の機能をより充実させ、万が一の落下時にも作業者の体への負担を軽減すると共に、作業者による作業性を向上させる高所作業用の作業着を提供することを目的とする。
【課題を解決するための手段】
【０００７】
開示する作業着の一形態は、作業者の上半身に着用する高所作業用の作業着であって、作業着本体と、前記作業着本体の背面中央付近に一端が固定される命綱と、前記命綱の他端に装着されるフックと、前記作業着本体の脇下部位付近に配置され、前記フックを係止させるためのリング状部材と、前記作業着本体の背面下部に一端が固定される紐状の前後連結部と、前記作業者の股下を通した前記前後連結部の他端を係止させる機構を備え、前記作業着本体の前面下部に配置される前後連結係止部と、を有することを特徴とする。
【０００８】
開示する作業着の一形態は、上記構成に加え、前記命綱が２本であり、前記フックが２本の前記命綱それぞれの他端に装着され、前記リング状部材が前記作業着本体の両脇下部位付近に１つずつ配置されることを特徴とする。
【０００９】
開示する作業着の一形態は、上記構成に加え、前記前後連結部が前記作業着本体の背面中央から左右振り分け位置に１つずつ備えられ、前記前後連結係止部が前記作業着本体の前面中央から左右振り分け位置に１つずつ備えられることを特徴とする。
開示する作業着の一形態は、上記構成に加え、前記前後連結部が伸縮性を備えることを特徴とする。
開示する作業着の一形態は、上記構成に加え、前記作業着本体がベストであることを特徴とする。
【発明の効果】
【００１０】
開示する高所作業用の作業着は、高所作業時における落下防止の機能をより充実させ、万が一の落下時にも作業者の体への負担を軽減すると共に、作業者による作業性を向上させる。
【図面の簡単な説明】
【００１１】
【図１】本実施の形態に係る作業着の正面図である。
【図２】本実施の形態に係る作業着の背面図である。
【図３】本実施の形態に係る作業着の使用例を示す図である。
【発明を実施するための形態】
【００１２】
図面を参照しながら、本発明を実施するための形態について説明する。
（本実施の形態に係る作業着の構造）
【００１３】
図１乃至３を用いて、本実施の形態に係る作業着１の構造について説明する。図１は作業着１の正面図であり、図２は作業着１の背面図であり、図３は作業着１の使用状態図（着用状態図）である。
【００１４】
作業着１は、高い場所で作業を行う場合に使用する命綱付きベルトである安全帯の代替的な機能を備えるものである。図１及び２で示すように、作業着１は、作業着本体２、命綱４、フック６、リング状部材８、前後連結部１０、前後連結係止部１２を有する。
【００１５】
作業着本体２は、作業着１のベースとなる部位であり、作業者１４の上半身に着用する作業着である。作業着本体２は、丈の短い袖無しの胴衣であるベストであることが好適であるが、袖があるものでも構わない。
【００１６】
図２で示すように、命綱４は、その一端が作業着本体２の背面中央付近に固定されている。この固定方法は、縫い付け、金具止め等その他限定されない。安全ベルトは、作業者の腰に装着するため、万が一の落下時には荷重が胴部・腰部に集中し、内臓や脊髄の損傷が生じる場合がある一方、作業着１は、作業者１４の上半身全体で体重を受け止めるため、従来の安全ベルトに係るそのような事態を回避させることができる。
図２で示すように、フック６は、命綱４の他端に装着されるフック部材であり、支持物・固定物１６に命綱４を固定するためのフック部材である。
なお、作業着１は、１組の命綱４及びフック６を備える形態であっても良く、２組の命綱４及びフック６を備える形態であっても良い。
【００１７】
図１及び２で示すように、リング状部材８は、作業着本体２の脇下部位付近に配置され、フック６を係止させておくためのリング形状の部材である。作業着１が２組の命綱４及びフック６を備える形態であれば、リング状部材８も両脇部位付近に１つずつ配置されるが、作業着１が１組の命綱４及びフック６を備える形態であれば、リング状部材８は両脇部位付近に１つずつ配置される形態でも、何れか一方の脇下部位付近に配置される形態でもどちらでも良い。
【００１８】
フック６をリング状部材８に係止させる場合、フック６は作業者１４の脇下に位置し、作業者１４の体の内側に保持されるため、作業者１４がその状態で作業を行っても、フック６が周囲の工作物に衝突することが無く、作業者１４の作業性を向上させることができる。
【００１９】
図２で示すように、前後連結部１０は、作業着本体２の背面下部に一端が固定され、紐又はベルトのような形状の部材である。前後連結部１０は、作業者１４の股下を通し、後述する前後連結係止部１２に他端を係止させることにより、落下時等、作業着１が作業者１４の頭部方向から抜ける（脱げる）事態を防止する。前後連結部１０は、装着容易性、装着後の装着感向上の観点から伸縮性を備えることが好適である。
【００２０】
図１で示すように、前後連結係止部１２は、作業者１４の股下を通した前後連結部１０の他端を係止させる機構を備え、作業着本体２の前面下部付近に配置される。
【００２１】
なお作業着１は、１組の前後連結部１０及び前後連結係止部１２を備える形態であっても良いが、２組の前後連結部１０及び前後連結係止部１２を備える形態の方が装着感向上・落下時の安全性の観点から好適である。
【００２２】
図１及び２で示すように、作業着１が２組の前後連結部１０及び前後連結係止部１２を備える場合、前後連結部１０は作業着本体２の背面下部中央から両側略等距離の位置に配置され、前後連結係止部１２は作業着本体２の前面下部中央から両側略等距離の位置に配置される。
【００２３】
図１及び２では、前後連結部１０の他端をフックとし、前後連結係止部１２をリング形状の部材としているが、前後連結部１０の他端及び前後連結係止部１２の各機構は、両者が連結した状態を保持できるその他の機構であっても良い。
【００２４】
作業着１は、ハーネス型安全帯に比べ、形状が安定しているため着用動作が容易であり、収納時に縺れてしまうことも無いため、使用時に解くという手間も掛からない。
（本実施の形態に係る作業着の使用方法）
図１乃至３を用いて、本実施の形態に係る作業着１の使用方法について説明する。
作業者１４は、作業着１の両脇部位に腕を通した後、作業着１の前面中央の開閉部を閉じ、作業着１を上半身に装着する。
作業者１４は、前後連結部１０を自らの股下を通し、前後連結部１０の他端を前後連結係止部１２に係止させる。
【００２５】
上記２つの動作で、作業者１４は作業着１の装着動作を終える。作業着１は、ハーネス型安全帯に比べ、形状が安定しているため着用動作が容易であり、収納時に縺れてしまうことも無いため、使用時に解くという手間も掛からない。
【００２６】
作業者１４は、高所作業を行うとき、フック６を固定物１６に係止させることによって、落下防止を図る。作業着１が２組の命綱４及びフック６を備える場合、作業者１４は、各フック６を２箇所の固定物１６に係止させることによって（二丁掛け）、落下防止を図り、安全性を高めることができる。
【００２７】
また、作業者１４は、命綱４を固定物１６に通した（掛けた）後、フック６をリング状部材８に係止させることによって、自らの体勢を保持するような形態で使用することもできる。
【００２８】
一方、作業者１４は、高所作業を行わないとき（命綱４の使用が必要でないとき）、フック６を脇下のリング状部材８に掛けた状態で、種々の作業を行うことができる。このようにすることで、フック６は作業者１４の脇下に位置し、作業者１４の体の内側に保持されるため、作業者１４がその状態で作業を行っても、フック６が周囲の工作物に衝突し工作物に傷を付けることも無く、作業者１４の作業性を向上させることができる。
【００２９】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００３０】
１    作業着（ベスト）
２    作業着本体（ベスト本体）
４    命綱
６    フック
８    リング状部材
１０  前後連結部
１２  前後連結係止部
１４  作業者
１６  固定物
【要約】
【課題】
開示の作業着は、高所作業時における落下防止の機能をより充実させ、万が一の落下時にも作業者の体への負担を軽減すると共に、作業者による作業性を向上させる。
【解決手段】
開示の作業着は、作業者の上半身に着用する高所作業用の作業着であって、作業着本体と、前記作業着本体の背面中央付近に一端が固定される命綱と、前記命綱の他端に装着されるフックと、前記作業着本体の脇下付近に配置され、前記フックを係止させるためのリング状部材と、前記作業着本体の背面下部に一端が固定される紐状の前後連結部と、前記作業者の股下を通した前記前後連結部の他端を係止させる機構を備え、前記作業着本体の前面下部に配置される前後連結係止部と、を有することを特徴とする。
【選択図】図３【図１】
0005782575.tif 000002
【図２】
0005782575.tif 000003
【図３】
0005782575.tif 000004